(57)【特許請求の範囲】
【請求項１】
伝言板に手書き入力により入力された複数の文字列と、各文字列が手書き入力された文字色とを取得し、
前記複数の文字列のうち、第１文字色で入力された文字列のみを、前記第１文字色に応じたアドレスに送信する、
処理をコンピュータに実行させることを特徴とするプログラム。
【請求項２】
前記伝言板に手書き入力により入力された文字、記号又はマークの何れかの情報を取得し、
取得した前記情報に対応付けられた電話番号への発信処理を電話機に実行させる発信制御情報を生成する、
ことを特徴とする請求項１に記載のプログラム。
【請求項３】
伝言板に手書き入力により入力された複数の文字列と、各文字列が手書き入力された文字色とを取得する手段と、
前記複数の文字列のうち、第１文字色で入力された文字列のみを、前記第１文字色に応じたアドレスに送信する手段と、
を備えたことを特徴とする情報処理装置。
【請求項４】
前記伝言板に手書き入力により入力された文字、記号又はマークの何れかの情報を取得する手段と、
取得した前記情報に対応付けられた電話番号への発信処理を電話機に実行させる発信制御情報を生成する手段と、
を備えたことを特徴とする請求項３に記載の情報処理装置。
【請求項５】
伝言板に手書き入力により入力された複数の文字列と、各文字列が手書き入力された文字色とを取得し、
前記複数の文字列のうち、第１文字色で入力された文字列のみを、前記第１文字色に応じたアドレスに送信する、
処理をコンピュータが実行することを特徴とする情報処理方法。
【請求項６】
前記伝言板に手書き入力により入力された文字、記号又はマークの何れかの情報を取得し、
取得した前記情報に対応付けられた電話番号への発信処理を電話機に実行させる発信制御情報を生成する、
ことを特徴とする請求項５に記載の情報処理方法。
【発明の詳細な説明】
【技術分野】
【０００１】
本発明は、メッセージ情報生成プログラム、発信制御プログラム、メッセージ情報生成装置、発信制御装置、メッセージ情報生成方法および発信制御方法に関する。
【背景技術】
【０００２】
高齢者や在宅患者の見守りの一環として、従来、「連絡帳」のような手書きのノートを利用することで、主治医（往診担当の医師）、訪問看護師、ケアマネージャ、家族といった関係者の間でコミュニケーションを取っていた。例えば、ケアマネージャが高齢者や在宅患者の食欲や体調を他の関係者に伝えたり、家族が食べ物の保管場所をケアマネージャに伝えたり、ケアマネージャ等が家族に用意しておいてもらいたいものを伝えたりといったコミュニケーションがある。
【０００３】
連絡帳は誰でも扱えると言う利便性があるが、その場に行かなければ見ることができないと言う不便さがあり、リアルタイム性に欠けている。そのため、電子化のニーズが高まってきており、昨今の普及が顕著なスマートフォン等を利用したコミュニケーションが考えられる。
【０００４】
一方、高齢者や在宅患者を対象としたものではないが、学校と保護者の間の連絡事項の情報伝達システムについての開示がある（例えば、特許文献１）。
【先行技術文献】
【特許文献】
【０００５】
【特許文献１】特開２００６−６５７２１号公報
【発明の概要】
【発明が解決しようとする課題】
【０００６】
上述したように、スマートフォン等を利用したコミュニケーションについては、年配の関係者はスマートフォン等の操作に慣れていない者も多く、また年配でなくても必ずしも皆が操作に慣れているわけではない。また、スマートフォン等により何らかのメッセージを発信する場合、メッセージの内容によって適切な宛先を選択しなければならず、操作が煩雑となる。緊急性のあるメッセージについては、急いで操作しなければならないことから、より操作が難しく、間違いも生じやすい。
【０００７】
そこで、一側面では、所望の宛先へのメッセージを簡単に送信することができるようにすることを目的とする。
【課題を解決するための手段】
【０００８】
一つの形態では、伝言板に手書き入力により入力された複数の文字列と、各文字列が手書き入力された文字色とを取得し、前記複数の文字列のうち、第１文字色で入力された文字列のみを、前記第１文字色に応じたアドレスに送信する、処理をコンピュータに実行させる。
【発明の効果】
【０００９】
所望の宛先へのメッセージを簡単に送信することができる。
【図面の簡単な説明】
【００１０】
【図１】一実施形態にかかるシステム構成例を示す図である。
【図２】一実施形態にかかる他のシステム構成例を示す図である。
【図３】伝言板の機能構成例を示す図である。
【図４】各種データベース等のデータ構造例を示す図である。
【図５】伝言板の情報処理にかかるハードウェア構成例を示す図である。
【図６】実施形態の処理例を示すシーケンス図である。
【図７】手書き入力の例を示す図（その１）である。
【図８】手書き入力の例を示す図（その２）である。
【図９】外部からのメッセージの表示例を示す図である。
【発明を実施するための形態】
【００１１】
以下、本発明の好適な実施形態につき説明する。
【００１２】
＜構成＞
図１は一実施形態にかかるシステム構成例を示す図である。図１において、高齢者や在宅患者等の住まいである見守り対象者宅１には、玄関内の壁などに伝言板２が設けられている。伝言板２は、インキペンによる手書き式のホワイトボード３の隅に手書き内容を検出するセンサ４が複数設けられるとともに、一隅にはタブレット５が設けられている。センサ４はタブレット５と有線または無線により接続されている。センサ４は、ホワイトボード３の手書き面を直接にカラーで撮影するために用いてもよいし、ペンの色と接触部分の座標とを取得するために用いてもよい。タブレット５は、伝言板２における情報処理を行い、ネットワーク７に接続する機能を有するとともに、伝言板２に外部から受信したメッセージを表示する機能を有している。また、タブレット５は、内蔵された電話機（電話機能）により外部に電話発信を行うこともできるし、見守り対象者宅１内の電話機を制御して電話発信を行うようにすることもできる。また、タブレット５は、見守り対象者宅１内に無線環境（ＷｉＦＩ環境等）を提供し、体重計、血圧計、体温計等のデバイス６と無線接続する機能も有している。伝言板２は、スマートデバイスでの通信を前提としており、各見守り対象者宅１にはインターネットやケーブルテレビ等のインフラ基盤が必要なく、個人負担を抑えるとともに、自治体等によるインフラ基盤整備のコストも抑えることが可能となる。
【００１３】
一方、見守りの関係者である、主治医、訪問看護師、ケアマネージャ、家族等のＰＣ（Personal Computer）８（８Ａ、８Ｂ、８Ｃ、８Ｄ）やスマートフォン・タブレット等の携帯端末９（９Ａ、９Ｂ、９Ｃ、９Ｄ）はネットワーク７を介して見守り対象者宅１の伝言板２のタブレット５に接続できるようになっている。なお、関係者のすべてがＰＣ８と携帯端末９を利用可能でなくてもよい。また、タブレット５からの電話発信の宛先は、上記の関係者の他に、消防署、病院、警察等がある。
【００１４】
図２は他のシステム構成例を示す図であり、伝言板２を無線接続機能を有する電子ホワイトボード装置２０により構成したものである。電子ホワイトボード装置２０の平面部は、電子ペンにより手書き入力が行えるとともに、ディスプレイともなっている。なお、電子ペンに代えてインキペンによる手書き入力とすることもできる。また、全面がディスプレイである必要はなく、一部がディスプレイとなっているものでもよい。他の構成は図１に示したものと同様である。
【００１５】
図３は伝言板２の機能構成例を示す図である。図３において、伝言板２は、手書き内容取得部２０１と手書き内容データベース２０２と手書き形態特定部２０３と特殊記入判定部２０４と宛先特定部２０５と宛先データベース２０６とメッセージ生成部２０７と発信制御情報生成部２０８とメッセージ送信部２０９と電話発信部２１０と送受信・発信ログ２１１とを備えている。手書き内容取得部２０１は、伝言板２に対する手書き内容を取得し、手書き内容を手書き内容データベース２０２に登録する機能を有している。手書き内容は、画像として取得してもよいし、軌跡情報として取得してもよいし、文字認識を行って文字情報としてもよい。図４には手書き内容データベース２０２のデータ構造例を示しており、「日時」「手書き内容」「送信・発信履歴」「参照履歴」等の項目を有している。「日時」は、手書き内容を取得した日時情報である。「手書き内容」は、手書き内容を示す、画像情報、軌跡情報または文字情報である。なお、何色のペンによる記入であるかを後の処理に利用するため、色の情報も含まれている。「送信・発信履歴」は、該手書き内容に基づく関係者へのメッセージの送信や電話発信が行われたことの履歴情報である。「参照履歴」は、該手書き内容に対して関係者からのアクセスの履歴情報である。
【００１６】
図３に戻り、手書き形態特定部２０３は、手書き内容取得部２０１により新たに取得された手書き内容から「形態」または「特殊記入」を特定する機能を有している。形態としては、例えば、連絡先に対応して予め決められたどの色で手書きが行われたかを特定する。特殊記入判定部２０４は、手書き内容取得部２０１により新たに取得された手書き内容から「特殊記入」の文字、マーク、記号等を特定する機能を有している。特殊記入としては、緊急事態を示す「×」や、注意喚起を示す「△」等がある。宛先特定部２０５は、手書き形態特定部２０３で特定された形態や特殊記入判定部２０４で特定された特殊記入に対応付けられた宛先のアドレスや電話番号を宛先データベース２０６を参照して取得する機能を有している。図４には、宛先データベース２０６のデータ構造例を示しており、「形態／特殊記入」「種別」「宛先名称」「アドレス／電話番号」「定形メッセージ」「認証情報」等の項目を有している。「形態／特殊記入」は、形態または特殊記入の内容であり、形態としては「赤文字」「青文字」等があり、特殊記入としては「×」「○」等がある。「種別」は、メッセージ（メール）の送信なのか電話発信なのかの別を示すものである。「宛先名称」は、主治医、訪問看護師、ケアマネージャ、家族等の関係者の名称や消防署、病院、警察等の名称である。「アドレス／電話番号」は、メッセージ（メール）のアドレスや発信先の電話番号である。例えば、形態「赤文字」の場合は主治医のアドレスにメッセージの送信、形態「青文字」の場合はケアマネージャのアドレスにメッセージの送信、特殊記入「×」の場合は消防署（救急）の電話番号に電話発信、特殊記入「△」の場合は家族の電話番号に電話発信等が設定される。「定形メッセージ」は、メッセージに含める定形メッセージである。電話発信の場合は音声メッセージとなる。「認証情報」は、関係者が手書き内容を参照するために外部からアクセスしてきた場合のＩＤ、パスワード等の認証情報である。
【００１７】
図３に戻り、メッセージ生成部２０７は、宛先特定部２０５により宛先が特定され、メッセージの送信が規定されている場合に、手書き内容についてのメッセージを生成する機能を有している。なお、手書き内容そのものをメッセージに含めてもよいし、手書き内容そのものは含めずにアクセスにより確認させるようにしてもよい。発信制御情報生成部２０８は、宛先特定部２０５により宛先が特定され、電話発信が規定されている場合に、電話機（伝言板２の内部機能の場合と外部の電話機の場合の両方の場合がある）に発信処理を実行させる発信制御情報を生成する機能を有している。メッセージ送信部２０９は、メッセージ生成部２０７により生成されたメッセージを宛先のアドレスに送信し、履歴を送受信・発信ログ２１１に記録する機能を有している。電話発信部２１０は、発信制御情報生成部２０８により生成された発信制御情報に基づいて電話発信を行い、履歴を送受信・発信ログ２１１に記録する機能を有している。図４には送受信・発信ログ２１１のデータ構造例を示しており、「日時」「送受種別」「相手アドレス／電話番号」「メッセージ内容」「未読・既読」等の項目を有している。「日時」は、メッセージの送受信または電話発信の日時である。メッセージの受信については後述するが、外部から伝言板２に対してメッセージ（メール）を送信し、伝言板２に表示させることができる。「送受種別」は、メッセージの送受信または電話発信の別である。「相手アドレス／電話番号」は、メッセージの送受信の相手のアドレスまたは電話発信の電話番号である。「メッセージ内容」は、送受信したメッセージの内容（電話発信の場合は音声メッセージの内容）である。「未読・既読」は、受信メッセージについて、伝言板２側で既読の操作を行ったか否かを示すものである。
【００１８】
図３に戻り、伝言板２は、外部アクセス処理部２１２とメッセージ受信部２１３とメッセージ表示部２１４と既読管理部２１５とを備えている。外部アクセス処理部２１２は、関係者のＰＣ８や携帯端末９からのアクセスを受け付け、宛先データベース２０６から認証情報を参照して認証を行い、認証が正常に行われた場合に手書き内容データベース２０２に蓄積された手書き内容を参照可能とする機能を有している。手書き内容データベース２０２を伝言板２内に保持し、外部から認証を経てアクセスさせるようにし、多職種の者が参照するセンタ等で一元管理しないようにすることで、関係者以外への情報漏洩等を極力防止することができる。また、データベースの構築・運用・セキュリティ対策等にかかるコストも必要なくなる。
【００１９】
メッセージ受信部２１３は、関係者のＰＣ８や携帯端末９からのメッセージ（主として伝言板２からのメッセージの送信に対する応答）を受信し、送受信・発信ログ２１１に登録する機能を有している。メッセージ表示部２１４は、メッセージ受信部２１３により受信されたメッセージを伝言板２において表示する機能を有している。既読管理部２１５は、メッセージ表示部２１４により表示されたメッセージに対して閲覧者により既読の操作が行われた場合に、メッセージ表示部２１４にメッセージの表示を消去させるとともに、送受信・発信ログ２１１に既読の情報を登録する機能を有している。
【００２０】
一方、伝言板２は、テザリング管理部２１６と接続機器データベース２１７とを備えている。テザリング管理部２１６は、見守り対象者宅１内に存在するデバイス６のうち、接続機器データベース２１７に接続許可機器として登録されたものに対して無線環境を提供する機能を有している。図４には接続機器データベース２１７のデータ構造例を示しており、「機体番号」「接続履歴」等の項目を有している。「機体番号」は、接続が許可されたデバイス６の機体を識別する情報である。「接続履歴」は、該デバイス６による接続の履歴である。なお、デバイス６の機能の一部として、または、別に機能を設け、デバイス６によるデータの収集を行い、伝言板２内で管理し、必要に応じて外部の関係者から参照できるようにしてもよい。例えば、体重測定、血圧測定、体温測定の結果をＰＨＲ（Personal Health Records）として伝言板２内に蓄積管理することができる。関係者の持つスマートフォン、タブレット、カメラ等から撮影した画像をＰＨＲとして伝言板２内に蓄積することもできる。
【００２１】
図５は伝言板２の情報処理にかかるハードウェア構成例を示す図である。図１に示した構成の場合はタブレット５の構成の一部であり、図２に示した構成の場合は電子ホワイトボード装置２０の構成の一部である。図５において、伝言板２は、バス２７を介して相互に接続されたＣＰＵ（Central Processing Unit）２１、ＲＯＭ（Read Only Memory）２２、ＲＡＭ（Random Access Memory）２３、ＨＤＤ（Hard Disk Drive）／ＳＳＤ（Solid State Drive）２４、接続Ｉ／Ｆ（Interface）２５、通信Ｉ／Ｆ２６を備えている。ＣＰＵ２１は、ＲＡＭ２３をワークエリアとしてＲＯＭ２２またはＨＤＤ／ＳＳＤ２４等に格納されたプログラムを実行することで、伝言板２の動作を統括的に制御する。接続Ｉ／Ｆ２５は、伝言板２に接続される機器とのインタフェースである。通信Ｉ／Ｆ２６は、ネットワークを介して他の情報処理装置と通信を行うためのインタフェースである。図３で説明した伝言板２の機能は、ＣＰＵ２１において所定のプログラムが実行されることで実現される。プログラムは、記録媒体を経由して取得されるものでもよいし、ネットワークを経由して取得されるものでもよいし、ＲＯＭ組込でもよい。
【００２２】
＜動作＞
図６は上記の実施形態の処理例を示すシーケンス図である。図６において、見守り対象者宅１内において伝言板２は関係者による手書き入力を受けると（ステップＳ１０１）、手書き内容取得部２０１は、手書き内容（書き込まれた文字・図形と文字色を含む）を取得し、手書き内容データベース２０２に登録する（ステップＳ１０２）。例えば、手書き内容取得部２０１は、手書き内容を画像情報として取得する場合、撮影内容に変化が検出されたことにより手書きが開始されたものと判断し、変化が所定時間なくなることで一連の手書きが完了したものとして、その時点で手書き面の画像を取得する。手書き内容を軌跡情報として取得する場合、変化が検出されてから変化が所定時間なくなることで一連の手書きが完了するまでのペンの連続的な接触位置を取得する。また、取得された画像情報または軌跡情報から文字認識を行って文字情報としてもよい。なお、伝言板２上の手書き内容は自由に消すことができる（手書き内容データベース２０２の登録内容は原則として消去しない）。また、伝言板２の所定のエリア（例えば、左下の所定範囲）については、文字が書き込まれた場所を判断して取り込み対象とせず、ご近所の方とのコミュニケーション用として使用することもできる。
【００２３】
図７は手書き入力の例を示しており、Ｉ１として黒文字で「昨日の夜ごはんは肉じゃが食べてました」、Ｉ２として赤文字で「昨日から発熱してます！」、Ｉ３として赤文字で「夜間も調子悪いようなら○○先生に連絡して下さい」、Ｉ４として黒文字で「冷蔵庫に煮物入れました」、Ｉ５として青文字で「ご家族へ  次回訪問時に△△を準備しておいて下さい」を示している。なお、インキペンで記入するタイプでは、記入した筆跡そのままとなるが、電子ペンで記入し文字認識してディスプレイに認識した文字を表示するタイプでは、書き込んだ位置等に認識された文字列がフォント化されて表示される（左上等から時系列に列挙表示する形式としてもよい）。また、図８はＩ６として「×」が書き込まれた状態を示している。手書きのため、誰でも簡単に書き込みを行うことができ、年齢や不慣れによる操作の困難さがない。
【００２４】
次いで、図６に戻り、手書き形態特定部２０３は、手書き内容取得部２０１により新たに取得された手書き内容から「形態」または「特殊記入」を特定する（ステップＳ１０３）。例えば、図７のＩ１については形態「黒文字」、Ｉ２については形態「赤文字」、Ｉ３については形態「赤文字」、Ｉ４については形態「黒文字」、Ｉ５については形態「青文字」、図８のＩ６については特殊記入「×」が特定される。
【００２５】
次いで、図６に戻り、宛先特定部２０５は、手書き形態特定部２０３で特定された形態や特殊記入判定部２０４で特定された特殊記入に対応付けられた宛先のアドレスや電話番号を宛先データベース２０６を参照して取得する（ステップＳ１０４）。図７の例の場合、宛先データベース２０６に、形態「赤文字」の場合は主治医にメッセージの送信、形態「青文字」の場合はケアマネージャにメッセージの送信が設定されている場合、Ｉ２、Ｉ３、Ｉ５について宛先が特定される。Ｉ１、Ｉ４については、外部からアクセスして参照することはできるが、メッセージの送信は行われない。また、図８の例の場合、宛先データベース２０６に特殊記入「×」の場合は消防署（救急）に電話発信、特殊記入「△」の場合は家族に電話発信等が設定されている場合、Ｉ６について宛先が特定される。
【００２６】
次いで、図６に戻り、宛先特定部２０５により宛先が特定され、メッセージの送信が規定されている場合、メッセージ生成部２０７は、手書き内容についてのメッセージを生成し、電話発信が規定されている場合、発信制御情報生成部２０８は電話機（伝言板２の内部機能の場合と外部の場合の両者を含む）に発信処理を実行させる発信制御情報を生成する（ステップＳ１０５）。そして、メッセージ送信部２０９はメッセージ生成部２０７により生成されたメッセージを送信し、電話発信部２１０は発信制御情報生成部２０８により生成された発信制御情報に基づいて電話発信を行い（ステップＳ１０６）、いずれの場合も履歴を送受信・発信ログ２１１に記録する（ステップＳ１０７）。メッセージ送信が行われた場合、関係者のＰＣ８または携帯端末９では、着信があると（ステップＳ１０８）、関係者はメッセージを確認する（ステップＳ１０９）。電話発信の場合は、電話機にて着信が行われ、音声メッセージ等により内容が確認される。緊急性の高い手書き内容についてはメッセージ送信や電話発信が行われるため、リアルタイムで情報連携が可能となる。
【００２７】
次いで、確認したメッセージに対する関係者の応答として、メッセージ送信操作を行うと（ステップＳ１１１）、ＰＣ８または携帯端末９は伝言板２に対してメッセージを送信する（ステップＳ１１２）。伝言板２のメッセージ受信部２１３は、関係者のＰＣ８や携帯端末９からのメッセージを受信すると、メッセージの内容を送受信・発信ログ２１１に登録する（ステップＳ１１３）。そして、メッセージ表示部２１４は、メッセージ受信部２１３により受信されたメッセージを伝言板２において表示する（ステップＳ１１４）。図９は手書き内容Ｉ２「昨日から発熱してます！」が主治医にメッセージ送信され、主治医からそれに対するメッセージ「９時頃、往診に伺います」が送信され、伝言板２のタブレット５に表示された状態を示している。
【００２８】
次いで、図６に戻り、表示されたメッセージに対して閲覧者により既読の操作が行われた場合（ステップＳ１１５）（図９のタブレット５に表示された「確認」ボタンのタップ等）、既読管理部２１５は、メッセージ表示部２１４にメッセージの表示を消去させるとともに、送受信・発信ログ２１１に既読の情報を登録する（ステップＳ１１６）。
【００２９】
一方、関係者が伝言板２の手書き内容を確認（メッセージ送信された内容に手書き内容の詳細が含まれないタイプの場合に詳細を確認するためと、メッセージ送信されない手書き内容を確認する場合とが含まれる）するために参照操作を行うと（ステップＳ１２１）、ＰＣ８または携帯端末９は伝言板２に対して参照要求を行う（ステップＳ１２２）。この場合、ＩＤおよびパスワードの入力が併せて行われる。伝言板２の外部アクセス処理部２１２は、関係者のＰＣ８や携帯端末９からのアクセスを受けると、宛先データベース２０６から認証情報を参照して認証を行う（ステップＳ１２３）。そして、認証が正常に行われた場合、手書き内容データベース２０２から手書き内容を取得し（ステップＳ１２４）、ＰＣ８または携帯端末９に応答する（ステップＳ１２５）。この際、手書き内容を直ちに送ってもよいし、蓄積された手書き内容の一覧を送り、詳細参照の要求があったものについてのみ詳細を送ってもよい。また、該当する関係者の参照履歴に基づいて未読の手書き内容だけに送信対象を絞ってもよい。ＰＣ８または携帯端末９は手書き内容の応答を受けると、内容を表示し（ステップＳ１２６）、関係者は内容を確認する（ステップＳ１２７）。紙ベースの連絡帳の場合では、その場へ行かなければ知り得なかった情報についても、どこからでも参照することが可能となり、主治医、訪問看護師、ケアマネージャ等の負荷軽減に貢献することができる。
【００３０】
＜総括＞
以上説明したように、本実施形態によれば、所望の宛先へのメッセージを簡単に送信することができる。
【００３１】
以上、好適な実施の形態により説明した。ここでは特定の具体例を示して説明したが、特許請求の範囲に定義された広範な趣旨および範囲から逸脱することなく、これら具体例に様々な修正および変更を加えることができることは明らかである。すなわち、具体例の詳細および添付の図面により限定されるものと解釈してはならない。
【００３２】
以上の説明に関し、更に以下の項を開示する。
（付記１）
手書き入力により入力された文字列と前記手書き入力に関する文字色とを含む情報を取得し、
取得した前記情報に基づき、前記文字列の形態を特定し、
メッセージの宛先のアドレスを文字列の形態に対応付けて記憶する記憶部を参照して、特定した前記形態に対応付けられたアドレスを特定し、
特定した前記アドレスを宛先とし、前記文字列に応じた情報を含むメッセージ情報を生成する、
処理をコンピュータに実行させることを特徴とするメッセージ情報生成プログラム。
（付記２）
前記手書き入力の内容を手書き入力が行われた装置に保持し、
外部装置から前記手書き入力の内容に対してアクセスが行われた場合に、認証を通過した後にアクセスを許可する、
ことを特徴とする付記１に記載のメッセージ情報生成プログラム。
（付記３）
前記手書き入力の内容を、画像情報、軌跡情報または文字情報のいずれかの形式で取得する、
ことを特徴とする付記１または２に記載のメッセージ情報生成プログラム。
（付記４）
外部装置からメッセージを受信して表示する、
ことを特徴とする付記１乃至３のいずれか一項に記載のメッセージ情報生成プログラム。
（付記５）
手書き入力により入力された文字、記号又はマークの何れかの情報を取得し、
取得した前記情報に基づき、前記情報の種別を特定し、
発信先の電話番号を情報の種別に対応付けて記憶する記憶部を参照して、特定した前記種別に対応付けられた電話番号を特定し、
特定した前記電話番号への発信処理を電話機に実行させる発信制御情報を生成する、
処理をコンピュータに実行させることを特徴とする発信制御プログラム。
（付記６）
前記手書き入力の内容を手書き入力が行われた装置に保持し、
外部装置から前記手書き入力の内容に対してアクセスが行われた場合に、認証を通過した後にアクセスを許可する、
ことを特徴とする付記５に記載の発信制御プログラム。
（付記７）
前記手書き入力の内容を、画像情報、軌跡情報または文字情報のいずれかの形式で取得する、
ことを特徴とする付記５または６に記載の発信制御プログラム。
（付記８）
外部装置からメッセージを受信して表示する、
ことを特徴とする付記５乃至７のいずれか一項に記載の発信制御プログラム。
（付記９）
手書き入力により入力された文字列と前記手書き入力に関する文字色とを含む情報を取得する手段と、
取得した前記情報に基づき、前記文字列の形態を特定する手段と、
メッセージの宛先のアドレスを文字列の形態に対応付けて記憶する記憶部を参照して、特定した前記形態に対応付けられたアドレスを特定する手段と、
特定した前記アドレスを宛先とし、前記文字列に応じた情報を含むメッセージ情報を生成する手段と、
を備えたことを特徴とするメッセージ情報生成装置。
（付記１０）
前記手書き入力の内容を手書き入力が行われた装置に保持する手段と、
外部装置から前記手書き入力の内容に対してアクセスが行われた場合に、認証を通過した後にアクセスを許可する手段と、
を備えたことを特徴とする付記９に記載のメッセージ情報生成装置。
（付記１１）
前記手書き入力の内容を、画像情報、軌跡情報または文字情報のいずれかの形式で取得する、
ことを特徴とする付記９または１０に記載のメッセージ情報生成装置。
（付記１２）
外部装置からメッセージを受信して表示する手段、
を備えたことを特徴とする付記９乃至１１のいずれか一項に記載のメッセージ情報生成装置。
（付記１３）
手書き入力により入力された文字、記号又はマークの何れかの情報を取得する手段と、
取得した前記情報に基づき、前記情報の種別を特定する手段と、
発信先の電話番号を情報の種別に対応付けて記憶する記憶部を参照して、特定した前記種別に対応付けられた電話番号を特定する手段と、
特定した前記電話番号への発信処理を電話機に実行させる発信制御情報を生成する手段と、
を備えたことを特徴とする発信制御装置。
（付記１４）
前記手書き入力の内容を手書き入力が行われた装置に保持する手段と、
外部装置から前記手書き入力の内容に対してアクセスが行われた場合に、認証を通過した後にアクセスを許可する手段と、
を備えたことを特徴とする付記１３に記載の発信制御装置。
（付記１５）
前記手書き入力の内容を、画像情報、軌跡情報または文字情報のいずれかの形式で取得する、
ことを特徴とする付記１３または１４に記載の発信制御装置。
（付記１６）
外部装置からメッセージを受信して表示する手段、
を備えたことを特徴とする付記１３乃至１５のいずれか一項に記載の発信制御装置。
（付記１７）
手書き入力により入力された文字列と前記手書き入力に関する文字色とを含む情報を取得し、
取得した前記情報に基づき、前記文字列の形態を特定し、
メッセージの宛先のアドレスを文字列の形態に対応付けて記憶する記憶部を参照して、特定した前記形態に対応付けられたアドレスを特定し、
特定した前記アドレスを宛先とし、前記文字列に応じた情報を含むメッセージ情報を生成する、
処理をコンピュータが実行することを特徴とするメッセージ情報生成方法。
（付記１８）
前記手書き入力の内容を手書き入力が行われた装置に保持し、
外部装置から前記手書き入力の内容に対してアクセスが行われた場合に、認証を通過した後にアクセスを許可する、
ことを特徴とする付記１７に記載のメッセージ情報生成方法。
（付記１９）
前記手書き入力の内容を、画像情報、軌跡情報または文字情報のいずれかの形式で取得する、
ことを特徴とする付記１７または１８に記載のメッセージ情報生成方法。
（付記２０）
外部装置からメッセージを受信して表示する、
ことを特徴とする付記１７乃至１９のいずれか一項に記載のメッセージ情報生成方法。
（付記２１）
手書き入力により入力された文字、記号又はマークの何れかの情報を取得し、
取得した前記情報に基づき、前記情報の種別を特定し、
発信先の電話番号を情報の種別に対応付けて記憶する記憶部を参照して、特定した前記種別に対応付けられた電話番号を特定し、
特定した前記電話番号への発信処理を電話機に実行させる発信制御情報を生成する、
処理をコンピュータが実行することを特徴とする発信制御方法。
（付記２２）
前記手書き入力の内容を手書き入力が行われた装置に保持し、
外部装置から前記手書き入力の内容に対してアクセスが行われた場合に、認証を通過した後にアクセスを許可する、
ことを特徴とする付記２１に記載の発信制御方法。
（付記２３）
前記手書き入力の内容を、画像情報、軌跡情報または文字情報のいずれかの形式で取得する、
ことを特徴とする付記２１または２２に記載の発信制御方法。
（付記２４）
外部装置からメッセージを受信して表示する、
ことを特徴とする付記２１乃至２３のいずれか一項に記載の発信制御方法。
【符号の説明】
【００３３】
１                  見守り対象者宅
２                  伝言板
２０                電子ホワイトボード装置
２０１              手書き内容取得部
２０２              手書き内容データベース
２０３              手書き形態特定部
２０４              特殊記入判定部
２０５              宛先特定部
２０６              宛先データベース
２０７              メッセージ生成部
２０８              発信制御情報生成部
２０９              メッセージ送信部
２１０              電話発信部
２１１              送受信・発信ログ
２１２              外部アクセス処理部
２１３              メッセージ受信部
２１４              メッセージ表示部
２１５              既読管理部
２１６              テザリング管理部
２１７              接続機器データベース
３                  ホワイトボード
４                  センサ
５                  タブレット
６                  デバイス
７                  ネットワーク
８、８Ａ〜８Ｄ      ＰＣ
９、９Ａ〜９Ｄ      携帯端末
【図１】
0006693165.tif 000002
【図２】
0006693165.tif 000003
【図３】
0006693165.tif 000004
【図４】
0006693165.tif 000005
【図５】
0006693165.tif 000006
【図６】
0006693165.tif 000007
【図７】
0006693165.tif 000008
【図８】
0006693165.tif 000009
【図９】
0006693165.tif 000010